(57)【要約】【課題】テスト記録の際に光ディスクのディフェクトを検出した場合でも、焦点バランス量と球面収差補正とを正しく設定する。【解決手段】焦点ずれ信号検出回路８と、再生信号検出回路１２と、再生信号評価回路１３と、ディフェクト検出回路１４と、制御部１９と、焦点バランス調整回路１７と、球面収差補正回路２とを有し、制御部１９は、ディフェクトを検出した場合、対応するアドレスのジッタ値を除外して第１のジッタカーブを生成し、除外したアドレスのジッタ値以外を用いて除外した部分のジッタ値を補間して第２のジッタカーブを生成し、第１の及び第２のジッタカーブの最小焦点バランス量を比較し、その差が１ステップ以上の場合に再度テスト記録を行い、第１の及び第２のジッタカーブの最小焦点バランス量の差を０ステップ以下とし、本記録時に用いる前記焦点バランス量及び前記球面収差補正量を求める。【選択図】図１
2009009686.tif 000002
【特許請求の範囲】
【請求項１】
光ディスクの記録層に照射されたレーザ光の反射光の光強度に基づいて、検出信号を出力する光検出器と、
前記検出信号に基づいて、焦点ずれ信号を出力する焦点ずれ信号検出手段と、
前記検出信号に基づいて、再生信号を出力する再生信号検出手段と、
前記再生信号のジッタ値を測定する再生信号評価手段と、
前記再生信号に基づいて、ディフェクトを検出するディフェクト検出手段と、
前記ジッタ値に基づいて、焦点バランス量と球面収差補正量とを制御するための制御信号を出力する制御手段と、
前記制御信号に基づいて、前記焦点ずれ信号検出手段に対して、焦点バランス量を１ステップずつ変化させ焦点バランス量を補正するための焦点バランス調整信号を出力する焦点バランス調整手段と、
前記制御信号に基づいて、前記レーザ光が前記記録層に照射された際に発生する球面収差を補正するための球面収差駆動信号を出力する球面収差補正手段と、
を有し、
前記制御手段は、光ディスクに対する情報の本記録に用いる焦点バランス量及び球面収差補正量を求めるために行われるテスト記録領域へのテスト記録中に、前記ディフェクト検出手段においてディフェクトを検出した場合、前記光ディスクにおける前記ディフェクトに対応したアドレスを表すアドレス値を記憶し、前記再生信号評価手段によるジッタ値の測定の際に前記アドレスに対応するジッタ値を除外して第１のジッタカーブを生成すると共に、除外したアドレス以外のジッタ値を用いることにより前記除外したアドレスのジッタ値を補間して第２のジッタカーブを生成し、前記第１及び第２のジッタカーブのジッタ値がそれぞれ最小となる焦点バランス量を比較し、その差が前記１ステップ以上の場合は前記アドレスを含まない前記テスト記録領域に対し再度テスト記録を行い、前記第１の及び第２のジッタカーブの最小焦点バランス量の差が０ステップの場合は得られた各球面収差補正量における最小焦点バランス量から本記録時に用いる前記焦点バランス量及び前記球面収差補正量を求めることを特徴とする光ディスク装置。
【請求項２】
光ディスクの記録層に照射されたレーザ光の反射光の光強度に基づいて、検出信号を出力する光検出器と、
前記検出信号に基づいて、焦点ずれ信号を出力する焦点ずれ信号検出手段と、
前記検出信号に基づいて、再生信号を出力する再生信号検出手段と、
前記再生信号のジッタ値を測定する再生信号評価手段と、
前記再生信号に基づいて、ディフェクトを検出するディフェクト検出手段と、
前記ジッタ値に基づいて、焦点バランス量と球面収差補正量とを制御するための制御信号を出力する制御手段と、
前記制御信号に基づいて、前記焦点ずれ信号検出手段に対して、焦点バランス量を１ステップずつ変化させ焦点バランス量を補正するための焦点バランス調整信号を出力する焦点バランス調整手段と、
前記制御信号に基づいて、前記レーザ光が前記記録層に照射された際に発生する球面収差を補正するための球面収差駆動信号を出力する球面収差補正手段と、
を有し、
前記制御手段は、テスト記録領域へのＤＣイレース中に前記ディフェクト検出手段においてディフェクトを検出した場合、前記光ディスクにおける前記ディフェクトに対応したアドレスを表すアドレス値を記憶し、光ディスクに対する情報の本記録に用いる焦点バランス量及び球面収差補正量を求めるために行われるテスト記録の際に前記アドレス及び前記アドレスの次のアドレスに対して同一のテスト記録条件で記録し、テスト記録の評価時に前記アドレス値に対応するジッタ値を除いてジッタカーブを生成することにより、本記録時に用いる前記焦点バランス量及び前記球面収差補正量を算出することを特徴とする光ディスク装置。
【請求項３】
光ディスクの記録層に照射されたレーザ光の反射光の光強度に基づいて、検出信号を出力する光検出器と、
前記検出信号に基づいて、焦点ずれ信号を出力する焦点ずれ信号検出手段と、
前記検出信号に基づいて、再生信号を出力する再生信号検出手段と、
前記再生信号のジッタ値を測定する再生信号評価手段と、
前記再生信号に基づいて、ディフェクトを検出するディフェクト検出手段と、
前記ジッタ値に基づいて、焦点バランス量と球面収差補正量とを制御するための制御信号を出力する制御手段と、
前記制御信号に基づいて、前記焦点ずれ信号検出手段に対して、焦点バランス量を１ステップずつ変化させ焦点バランス量を補正するための焦点バランス調整信号を出力する焦点バランス調整手段と、
前記制御信号に基づいて、前記レーザ光が前記記録層に照射された際に発生する球面収差を補正するための球面収差駆動信号を出力する球面収差補正手段と、
を有し、
前記制御手段は、本記録に用いる焦点バランス量及び球面収差補正量を求めるための前記再生信号評価手段によるテスト記録領域に記録されたテスト記録結果のジッタ値の測定中に、前記ディフェクト検出手段においてディフェクトを検出した場合、前記光ディスクにおける前記ディフェクトに対応したアドレスを表すアドレス値を記憶し、前記アドレスに対応するジッタ値を除外して第１のジッタカーブを生成すると共に、除外したアドレスのジッタ値以外のジッタ値を用いることにより前記除外したアドレスのジッタ値を補間して第２のジッタカーブを生成し、前記第１及び第２のジッタカーブのジッタ値がそれぞれ最小となる焦点バランス量を比較し、その差が前記１ステップ以上の場合は前記アドレスを含まない前記テスト記録領域に対し再度テスト記録を行い、前記第１の及び第２のジッタカーブの最小焦点バランス量の差が０ステップの場合は得られた各球面収差補正量における最小焦点バランス量から本記録時に用いる前記焦点バランス量及び前記球面収差補正量を求めることを特徴とする光ディスク装置。
【請求項４】
光ディスクに対して情報の本記録を行う際に用いる焦点バランス量及び球面収差補正量を求めるため、テスト記録領域に対してテスト記録を行うテスト記録ステップと、
前記テスト記録中に、再生信号基づきディフェクトの有無を検出し、検出した前記ディフェクトの前記光ディスク上のアドレスに対応したアドレス値を記憶するディフェクト検出ステップと、
前記ジッタ値の測定中に、前記アドレスのジッタ値を除外して第1のジッタカーブを生成すると共に、除外したアドレス以外のジッタ値を用いることにより前記除外したアドレスのジッタ値を補間して第２のジッタカーブを生成するジッタカーブ生成ステップと、
前記第１及び第２のジッタカーブからそれぞれのジッタカーブにおける最小焦点バランス量を求め、得られた最小焦点バランス量の差を比較する焦点バランス量比較ステップと、
前記焦点バランス量の差が１ステップ以上ある場合に、前記アドレスを含まない前記テスト記録領域に再度テスト記録を行う再テスト記録ステップと、
前記焦点バランス量の差が０ステップの場合に、得られた各球面収差補正量における最小焦点バランス量から本記録時に用いる前記焦点バランス量及び前記球面収差補正量を求める補正量算出ステップと、
を有することを特徴とする光ディスク記録条件設定方法。
【請求項５】
光ディスクに対して情報の本記録を行う際に用いる焦点バランス量及び球面収差補正量を求めるためのテスト記録を行うテスト記録領域に対しＤＣイレースを行うＤＣイレースステップと、
前記ＤＣイレース中に、前記ＤＣイレース時の再生信号からディフェクトの有無を検出し、検出した前記ディフェクトの前記光ディスク上のアドレスに対応したアドレス値を記憶するディフェクト検出ステップと、
ＤＣイレースされた前記テスト記録領域に対しテスト記録を行うテスト記録ステップと、
前記テスト記録中に、前記アドレス及び前記アドレスの次のアドレスに同一条件でテスト記録する再記録ステップと、
前記テスト記録された領域を再生し、ジッタ値を測定するジッタ値測定ステップと、
ジッタ値の測定結果から、前記アドレスのジッタ値を削除してジッタカーブを生成するジッタカーブ生成ステップと、
前記ジッタカーブから最小焦点バランス量を求め、各球面収差補正量における最小焦点バランス量から本記録時に用いる前記焦点バランス量及び前記球面収差補正量を求める補正量算出ステップと、
を有することを特徴とする光ディスク記録条件設定方法。
【請求項６】
光ディスクに対して情報の本記録を行う際に用いる焦点バランス量及び球面収差補正量を求めるため、テスト記録領域に対してテスト記録を行うテスト記録ステップと、
ジッタ値の測定によるテスト記録の結果の評価中に、再生信号からディフェクトの有無を検出し、検出した前記ディフェクトの前記光ディスク上のアドレスに対応するアドレス値を記憶するディフェクト検出ステップと、
前記ジッタ値の測定中に、前記アドレスのジッタ値を除外して第1のジッタカーブを生成すると共に、除外したアドレス以外のジッタ値を用いることにより前記除外したアドレスのジッタ値を補間して第２のジッタカーブを生成するジッタカーブ生成ステップと、
前記第１及び第２のジッタカーブからそれぞれのジッタカーブにおける最小焦点バランス量を求め、得られた最小焦点バランス量の差を比較する焦点バランス量比較ステップと、
前記焦点バランス量の差が１ステップ以上ある場合に、前記アドレスを含まない前記テスト記録領域に再度テスト記録を行う再テスト記録ステップと、
前記焦点バランス量の差が０ステップの場合に、得られた各球面収差補正量における最小焦点バランス量から本記録時に用いる前記焦点バランス量及び前記球面収差補正量を求める補正量算出ステップと、
を有することを特徴とする光ディスク記録条件設定方法。
【発明の詳細な説明】
【技術分野】
【０００１】
本発明は、光ディスクのカバー層側から記録層に対しレーザ光を照射し信号の記録再生を行う光ディスク装置に係り、特に品質の良い信号の記録再生を行うのに好適な光ディスク装置及び光ディスク記録条件設定方法に関する。
【背景技術】
【０００２】
光ディスクの記録密度の向上を目指して、光ピックアップとしてレーザ光の短波長化及び対物レンズの高ＮＡ化を行った光学系を用いる場合、照射されるレーザ光の焦点深度が浅くなるため、焦点を合焦点位置に合わせる焦点サーボには高い追従性能が要求される。
しかしながら、レーザ光源の放射角に起因するレーザ光の収差、光学系に用いる光学部品の有する収差、あるいは光ディスク基板の有するリタデーション等により、光ディスクの記録層に照射されるレーザ光には、非点収差が生じる事がある。非点収差が生じると、記録層上の光スポットの大きさが大きくなる、あるいは形状が楕円となることがおきる。それによって、信号の分解能が低下、あるいは隣接する信号トラックからのクロストークが増加し、再生信号の品質の低下を招く虞がある。
【０００３】
また、ＢＤ（Blu-ray Disc）等の短波長のレーザ光で記録又は再生される光ディスクにおいては、埃や傷から光ディスクが有する記録層を保護するために、記録層をカバー層で覆う構造としている。光ディスクの記録再生を行うためにレーザ光がカバー層を通過する際に、カバー層の厚み誤差によって球面収差が発生し、情報を正しく読み書きすることができなくなるという問題が生じることがある。
ここで、球面収差は（球面収差∝ｔ×ＮＡ4、ｔ：カバー層の厚さ、ＮＡ：対物レンズの開口数）で示され、カバー層の厚さｔ及び対物レンズの開口数ＮＡの４乗に比例する。 つまり、高ＮＡを用いる光ディスクシステムでは、光ディスクのカバー層厚み誤差によって発生する球面収差を補正することが必須となっている。
したがって、非点収差及び球面収差が生じた場合でも、品質の良い信号の記録再生が可能となり、記録密度を向上させる事が可能となる光ディスク装置及び光ディスク記録条件設定方法が求められていた。
【０００４】
これに対して、特許文献１には、本記録に先立って行われる焦点サーボによるレーザ光の合焦点位置を決めるためのテスト記録において、非点収差を押さえるため焦点バランス量を変更し焦点サーボの目標点を変化させる事により、光ディスク上の光スポットの形状を変化させることが記載されている。
つまり、焦点バランス量を変更してテスト記録を行った後に、テスト記録した部分の再生信号の品質の評価を行い、最良の品質の信号が得られる点に焦点バランス量を設定する。この設定された焦点サーボの目標点を用いることより、光ディスクに情報の記録を行う際に、非点収差が発生する場合でも、最良の光スポット形状で信号の記録再生を行う事が可能となることが記載されている。
【０００５】
また、特許文献２には、光ディスクに対して球面収差を変化させて行うテスト記録を本記録に先立って行い、テスト記録した部分の再生信号の品質の評価を行い、球面収差量を最小とする最適球面収差補正量を決定する。この設定された最適球面収差補正量を用いることより、光ディスクに球面収差がある場合でも、最良の光スポット形状で信号の記録再生を行う事が可能となることが明記されている。
【０００６】
【特許文献１】特許第３５１００１５号公報
【特許文献２】特開２００４−６２９３７号公報
【発明の開示】
【発明が解決しようとする課題】
【０００７】
しかしながら、上記した特許文献１および特許文献２に記載の発明では、レーザ光の合焦点位置となる最適焦点バランス量及び最適球面収差補正量を決定するためのテスト記録時やテスト記録結果の評価中に、テスト記録領域又は評価領域に光ディスクの物理的な欠陥箇所であって、良好な記録又は再生が不能な部分（以下「ディフェクト」と記す）が存在した場合について特に考慮していないものであった。
【０００８】
このため、テスト記録中に、レーザ光の光スポットがディフェクトを通過すると、その箇所に形成されるマークの形状は、ディフェクトの影響により乱れてしまう。それにより、テスト記録の評価結果は不正確になり、最適な焦点バランス量及び最適な球面収差補正量の決定を行うことができないことがあった。
更に、テスト記録結果の評価中に、ディフェクトをレーザ光の光スポットが通過すると、このディフェクトの影響により、この箇所から読み出された再生信号のジッタは悪化し、この箇所を記録した記録条件での評価結果はディフェクトがなかった場合と異なってしまう現象が生じる。その結果として最適な焦点バランス量及び最適な球面収差補正量の決定が行えないことがあった。
【０００９】
そこで、本発明は、これらの問題を解決するために創案されたものであり、本記録に先立って行われるテスト記録中やテスト記録結果の評価中にディフェクトを検出した場合でも、このディフェクトの悪影響によって焦点バランス量及び球面収差補正量が誤設定されることなく、レーザ光の焦点バランス量や球面収差量を常時最良の設定状態で維持して、情報信号を記録することができ、また、こうして最良の状態で記録した情報信号を最良の品質で再生することができる光ディスク装置及び光ディスク記録条件設定方法を提供することを目的とする。
【課題を解決するための手段】
【００１０】
上記目的を達成するために、本発明は、次の１）〜３）の構成及び４）〜６）の手順を有するものである。
１）光ディスク４の記録層６に照射されたレーザ光の反射光の光強度に基づいて、検出信号を出力する光検出器２４と、検出信号に基づいて、焦点ずれ信号を出力する焦点ずれ信号検出手段８と、検出信号に基づいて、再生信号を出力する再生信号検出手段１２と、再生信号のジッタ値を測定する再生信号評価手段１３と、再生信号に基づいて、ディフェクトを検出するディフェクト検出手段１４と、ジッタ値に基づいて、焦点バランス量と球面収差補正量とを制御するための制御信号を出力する制御手段１９と、制御信号に基づいて、焦点ずれ信号検出手段８に対して、焦点バランス量を１ステップずつ変化させ焦点バランス量を補正するための焦点バランス調整信号を出力する焦点バランス調整手段１７と、制御信号に基づいて、レーザ光が記録層６に照射された際に発生する球面収差を補正するための球面収差駆動信号を出力する球面収差補正手段１８とを有し、制御手段１９は、光ディスク４に対する情報の本記録に用いる焦点バランス量及び球面収差補正量を求めるために行われるテスト記録領域へのテスト記録中に、ディフェクト検出手段１４においてディフェクトを検出した場合、光ディスク４におけるディフェクトに対応したアドレスを表すアドレス値を記憶し、再生信号評価手段１３によるジッタ値の測定の際にアドレスに対応するジッタ値を除外して第１のジッタカーブを生成すると共に、除外したアドレス以外のジッタ値を用いることにより除外したアドレスのジッタ値を補間して第２のジッタカーブを生成し、第１及び第２のジッタカーブのジッタ値がそれぞれ最小となる焦点バランス量を比較し、その差が１ステップ以上の場合はアドレスを含まないテスト記録領域に対し再度テスト記録を行い、第１の及び第２のジッタカーブの最小焦点バランス量の差が０ステップの場合は得られた各球面収差補正量における最小焦点バランス量から本記録時に用いる焦点バランス量及び球面収差補正量を求めることを特徴とする光ディスク装置１。
２）光ディスク４の記録層６に照射されたレーザ光の反射光の光強度に基づいて、検出信号を出力する光検出器２４と、検出信号に基づいて、焦点ずれ信号を出力する焦点ずれ信号検出手段８と、検出信号に基づいて、再生信号を出力する再生信号検出手段１２と、再生信号のジッタ値を測定する再生信号評価手段１３と、再生信号に基づいて、ディフェクトを検出するディフェクト検出手段１４と、ジッタ値に基づいて、焦点バランス量と球面収差補正量とを制御するための制御信号を出力する制御手段１９と、制御信号に基づいて、焦点ずれ信号検出手段８に対して、焦点バランス量を１ステップずつ変化させ焦点バランス量を補正するための焦点バランス調整信号を出力する焦点バランス調整手段１７と、制御信号に基づいて、レーザ光が記録層６に照射された際に発生する球面収差を補正するための球面収差駆動信号を出力する球面収差補正手段１８とを有し、制御手段１９は、テスト記録領域へのＤＣイレース中にディフェクト検出手段１４においてディフェクトを検出した場合、光ディスク４におけるディフェクトに対応したアドレスを表すアドレス値を記憶し、光ディスク４に対する情報の本記録に用いる焦点バランス量及び球面収差補正量を求めるために行われるテスト記録の際にアドレス及び前記アドレスの次のアドレスに対して同一のテスト記録条件で記録し、テスト記録の評価時にアドレス値に対応するジッタ値を除いてジッタカーブを生成することにより、本記録時に用いる焦点バランス量及び球面収差補正量を算出することを特徴とする光ディスク装置１。
３）光ディスク４の記録層６に照射されたレーザ光の反射光の光強度に基づいて、検出信号を出力する光検出器２４と、検出信号に基づいて、焦点ずれ信号を出力する焦点ずれ信号検出手段８と、検出信号に基づいて、再生信号を出力する再生信号検出手段１２と、再生信号のジッタ値を測定する再生信号評価手段１３と、再生信号に基づいて、ディフェクトを検出するディフェクト検出手段１４と、ジッタ値に基づいて、焦点バランス量と球面収差補正量とを制御するための制御信号を出力する制御手段１９と、制御信号に基づいて、焦点ずれ信号検出手段８に対して、焦点バランス量を１ステップずつ変化させ焦点バランス量を補正するための焦点バランス調整信号を出力する焦点バランス調整手段１７と、制御信号に基づいて、レーザ光が記録層６に照射された際に発生する球面収差を補正するための球面収差駆動信号を出力する球面収差補正手段１８とを有し、制御手段１９は、本記録に用いる焦点バランス量及び球面収差補正量を求めるための再生信号評価手段１３によるテスト記録領域に記録されたテスト記録結果のジッタ値の測定中に、ディフェクト検出手段１４においてディフェクトを検出した場合、光ディスク４におけるディフェクトに対応したアドレスを表すアドレス値を記憶し、アドレスに対応するジッタ値を除外して第１のジッタカーブを生成すると共に、除外したアドレスのジッタ値以外のジッタ値を用いることにより除外したアドレスのジッタ値を補間して第２のジッタカーブを生成し、第１及び第２のジッタカーブのジッタ値がそれぞれ最小となる焦点バランス量を比較し、その差が１ステップ以上の場合はアドレスを含まないテスト記録領域に対し再度テスト記録を行い、第１の及び第２のジッタカーブの最小焦点バランス量の差が０ステップの場合、得られた各球面収差補正量における最小焦点バランス量から本記録時に用いる焦点バランス量及び球面収差補正量を求めることを特徴とする光ディスク装置１。
４）光ディスク４に対して情報の本記録を行う際に用いる焦点バランス量及び球面収差補正量を求めるため、テスト記録領域に対してテスト記録を行うテスト記録ステップと、テスト記録中に、再生信号基づきディフェクトの有無を検出し、検出したディフェクトの光ディスク４上のアドレスに対応したアドレス値を記憶するディフェクト検出ステップと、ジッタ値の測定中に、アドレスのジッタ値を除外して第1のジッタカーブを生成すると共に、除外したアドレス以外のジッタ値を用いることにより除外したアドレスのジッタ値を補間して第２のジッタカーブを生成するジッタカーブ生成ステップと、第１及び第２のジッタカーブからそれぞれのジッタカーブにおける最小焦点バランス量を求め、得られた最小焦点バランス量の差を比較する焦点バランス量比較ステップと、焦点バランス量の差が１ステップ以上ある場合に、アドレスを含まないテスト記録領域に再度テスト記録を行う再テスト記録ステップと、焦点バランス量の差が０ステップの場合に、得られた各球面収差補正量における最小焦点バランス量から本記録時に用いる焦点バランス量及び球面収差補正量を求める補正量算出ステップとを有することを特徴とする光ディスク記録条件設定方法。
５）光ディスク４に対して情報の本記録を行う際に用いる焦点バランス量及び球面収差補正量を求めるためのテスト記録を行うテスト記録領域に対しＤＣイレースを行うＤＣイレースステップと、ＤＣイレース中に、ＤＣイレース時の再生信号からディフェクトの有無を検出し、検出したディフェクトの光ディスク４上のアドレスに対応したアドレス値を記憶するディフェクト検出ステップと、ＤＣイレースされたテスト記録領域に対しテスト記録を行うテスト記録ステップと、テスト記録中に、アドレス及びアドレスの次のアドレスに同一条件でテスト記録する再記録ステップと、テスト記録された領域を再生し、ジッタ値を測定するジッタ値測定ステップと、ジッタ値の測定結果から、アドレスのジッタ値を削除してジッタカーブを生成するジッタカーブ生成ステップと、ジッタカーブから最小焦点バランス量を求め、各球面収差補正量における最小焦点バランス量から本記録時に用いる焦点バランス量及び球面収差補正量を求める補正量算出ステップとを有することを特徴とする光ディスク記録条件設定方法。
６）光ディスク４に対して情報の本記録を行う際に用いる焦点バランス量及び球面収差補正量を求めるため、テスト記録領域に対してテスト記録を行うテスト記録ステップと、ジッタ値の測定によるテスト記録の結果の評価中に、再生信号からディフェクトの有無を検出し、検出した前記ディフェクトの光ディスク４上のアドレスに対応するアドレス値を記憶するディフェクト検出ステップと、ジッタ値の測定中に、アドレスのジッタ値を除外して第1のジッタカーブを生成すると共に、除外したアドレス以外のジッタ値を用いることにより除外したアドレスのジッタ値を補間して第２のジッタカーブを生成するジッタカーブ生成ステップと、第１及び第２のジッタカーブからそれぞれのジッタカーブにおける最小焦点バランス量を求め、得られた最小焦点バランス量の差を比較する焦点バランス量比較ステップと、焦点バランス量の差が１ステップ以上ある場合に、アドレスを含まないテスト記録領域に再度テスト記録を行う再テスト記録ステップと、焦点バランス量の差が０ステップの場合に、得られた各球面収差補正量における最小焦点バランス量から本記録時に用いる焦点バランス量及び球面収差補正量を求める補正量算出ステップとを有することを特徴とする光ディスク記録条件設定方法。
【発明の効果】
【００１１】
本発明によれば、本記録に先立つテスト記録の際に行う焦点バランス量及び球面収差補正量の設定中において、光ディスクのディフェクトを検出した場合でも、このディフェクトの影響によってレーザ光の焦点バランス量と球面収差補正量とが誤設定されることなく、本記録時に安定して情報信号を記録することができる。
【００１２】
また、本発明によれば、テスト記録を行う前に、レーザ光の合焦点位置の所定値と球面収差量の所定値を予め設定した後に、前記光ディスクの記録層に対してＤＣイレース動作を実行し、実行中にディフェクトを検出した場合でも、このディフェクトの影響によってレーザ光の焦点バランス量と球面収差補正量とが誤設定されることなく、本記録時に安定して情報信号を記録することができる。
【００１３】
また本発明によれば、本記録に先立つテスト記録を行った後のテスト記録の評価中にディフェクトを検出した場合でも、このディフェクトの悪影響によって記録用レーザ光の焦点バランス量と球面収差補正量とが誤設定されることなく、本記録時に安定して情報信号を記録することができる。
【発明を実施するための最良の形態】
【００１４】
以下に、本発明に係る光ディスク装置の実施形態について、図面を参照して説明する。
図１は、本発明の一実施形態に係る光ディスク装置の全体構成を示すブロック図である。図２は、本発明の一実施形態に係る光ディスク装置の光学系を示すブロック図である。図３は、本発明の一実施形態に係る光ディスク記録条件設定方法を示すフローチャートである。図４は、本発明の一実施例に係る光ディスク装置がＤＣイレース時にディフェクトを検出した場合の動作を示すフローチャートである。図５は、本発明の一実施例に係る光ディスク装置における球面収差補正量を変化させた場合の再生信号ジッタ値の焦点バランス量依存性を示す図である。図６は、本発明の一実施例に係る光ディスク装置がテスト記録時にディフェクトを検出した場合の動作を示すフローチャートである。図７は、本発明の一実施例に係る光ディスク装置におけるディフェクトを検出した場合のジッタカーブを示す図である。図８は、本発明の一実施例に係る光ディスク装置がテスト記録後の再生時にディフェクトを検出した場合の動作を示すフローチャートである。
なお、全図において、共通な機能を有する部品には同一符号を付して示し、一度説明したものに関しては、繰り返した説明を省略する。
【００１５】
図１に示すように、実施形態の光ディスク装置１は、以下の構成を有する。
球面収差補正部２は、光ディスク４のカバー層５を透過したレーザ光の光ディスク４の記録層６における球面収差を補正する機能を有する。
光学系３は、レーザ光を出射すると共に、光ディスク４の記録層６で反射したレーザ光を受光し、検出信号ＳＧ１，ＳＧ５を出力する機能を有する。
対物レンズ７は、光ディスク４の記録層６にレーザ光を集光させる機能を有する。
焦点ずれ信号検出回路８は、検出信号ＳＧ１に基づき焦点ずれ信号ＳＧ２を出力する機能を有する。
焦点サーボ回路９は、焦点ずれ信号検出回路８で検出された焦点ずれ信号ＳＧ２に基づき焦点サーボ信号ＳＧ３を出力する機能を有する。
焦点移動機構駆動回路１０は、焦点サーボ回路９からの焦点サーボ信号に基づき焦点移動機構駆動信号ＳＧ４を出力する機能を有する。
焦点移動機構１１は、焦点移動機構駆動回路１０からの焦点移動機構駆動信号ＳＧ４に基づき対物レンズ７を光ディスク４と直交する方向に移動する機能を有する。
【００１６】
再生信号検出回路１２は、検出信号ＳＧ５に基づき再生信号ＳＧ６を出力する機能を有する。
再生信号評価回路１３は、再生信号検出回路１２から出力した再生信号ＳＧ６の再生信号の品質を評価する機能を有する。
ディフェクト検出回路１４は、再生信号検出回路１２から出力した再生信号ＳＧ６からディフェクトを検出しディフェクト検出信号ＳＧ７を出力する機能を有する。
記録回路１５は、外部からの記録信号ＳＧ８に基づき記録変調信号ＳＧ９を出力する機能を有する。
レーザ駆動回路１６は、記録回路１５から出力された記録変調信号ＳＧ９に基づきレーザ駆動信号ＳＧ１０を出力する機能を有する。
【００１７】
焦点バランス調整回路１７は、焦点ずれ信号検出回路８に対して焦点バランス調整信号ＳＧ１１を出力する機能を有する。
球面収差駆動回路１８は、球面収差補正部２に対して球面収差駆動信号ＳＧ１２を出力する機能を有する。
制御回路１９は、その内部に記憶部１９ｍを有し、再生信号評価回路１３から出力された再生信号ＳＧ６の品質評価結果及びディフェクト検出回路１４から出力されたディフェクト検出信号ＳＧ７が入力される共に、記録回路１５、レーザ駆動回路１６、焦点バランス調整回路１７及び球面収差駆動回路１８を制御する制御信号ＳＧ１３ａ，ＳＧ１３ｂ，ＳＧ１３ｃ，ＳＧ１３ｄを出力する機能を有する。
【００１８】
更に、光ディスク装置１の光学系３のいくつかの種類について図２を用いて詳細に説明する。
図２（Ａ），（Ｂ）に示すように、光ディスク装置１の光学系３（３は３ａ及び３ｂの総称とする）は、次の構成を有する。
半導体レーザ２０は、レーザ駆動回路１６から出力されたレーザ駆動信号ＳＧ１０に基づきレーザ光を出力する機能を有する。
コリメートレンズ２１は、半導体レーザ２０から出射したレーザ光を平行光にする機能を有する。
ビームスプリッタ２２は、コリメートレンズ２１を透過したレーザ光を透過し、光ディスク４からの反射光を入射方向に対して９０度屈折する機能を有する。
球面収差補正部２ａ，２ｂは、ビームスプリッタ２２を透過したレーザ光の光路上にあり、光ディスク４の記録層６でのレーザ光の球面収差の状態に合わせて球面収差補正量を調整する機能を有する。
対物レンズ７は、球面収差補正部２（２は２ａ及び２ｂの総称とする）を透過したレーザ光を光ディスク４の記録層６に集光すると共に、記録層６にて反射したレーザ光を受光する機能を有する。
集光レンズ２３は、ビームスプリッタ２２で９０度屈折した記録層６からの反射レーザ光を集光する機能を有する。
光検出器２４は、集光レンズ２３を透過したレーザ光の光強度を検出し、検出信号ＳＧ１，ＳＧ５を出力する機能を有する。
【００１９】
球面収差補正部２ａは、図２（Ａ）に示すように、凹レンズ２５と、凸レンズ２６と、球面収差補正光学系用駆動機構２７とを有する。
凹レンズ２５と、凸レンズ２６とは、入射平行光に対してビーム径を拡大させた平行光を出射するビーム拡大型のリレーレンズを構成し、球面収差補正光学系用駆動機構２７を用いて凹レンズ２５と凸レンズ２６との間隔を変化させることによって、対物レンズ７に入射する光を発散光或いは集束光に変換することができる。
凹レンズ２５と凸レンズ２６との間隔を制御することにより、対物レンズ７での球面収差の量を調整し、光ディスク４のカバー層５厚さのばらつきによる球面収差を補正することができる。
【００２０】
更に、別の球面収差補正部２ｂとしては、図２（Ｂ）に示すように、ビームスプリッタ２２を透過したレーザ光の光路上に、液晶素子２８を有する構造も考えられる。
この液晶素子２８は、同心円状に形成された複数の液晶領域に対する印加電圧を制御することにより、レーザ光に同心円状の位相変化を生じさせて球面収差を補正するものである。
【００２１】
ここで、球面収差駆動回路１８から球面収差補正部２に供給される球面収差駆動信号ＳＧ１２は、球面収差補正部２の方式に依存する。
例えば、凹レンズ２５と、凸レンズ２６とを用いる球面収差補正部２ａの場合は、駆動信号ＳＧ１２は凹レンズ２５と、凸レンズ２６との移動量を示す信号となる。
また、液晶素子２８を用いる球面収差補正部２ｂの場合は、駆動信号ＳＧ１２は液晶領域に対する印加電圧を示す信号となる。
【００２２】
次に、本実施形態の光ディスク装置１の動作について、図１及び図２（Ａ）を併せ用いて説明する。
外部からの記録信号ＳＧ８に基づき記録回路１５では記録変調信号ＳＧ９を出力する。記録回路１５から出力された記録変調信号ＳＧ９に基づきレーザ駆動回路ではレーザ駆動信号ＳＧ１０を出力する。レーザ駆動回路から出力されたレーザ駆動信号ＳＧ１０に基づき半導体レーザ２０では記録信号ＳＧ８に応じて変調されたレーザ光を出力する。
半導体レーザ２０から出力されたレーザ光は、コリメートレンズ２１で平行光にされ、ビームスプリッタ２２を透過し、凹レンズ２５、凸レンズ２６及び球面収差補正光学系用駆動機構２７を有する球面収差補正部２ａを透過する。
球面収差補正部ａは、光ディスク４のカバー層５の厚さ誤差や僅かな波長変化に対してレーザ光に生じる球面収差を補正するものである。球面収差の補正の方法としては、球面収差の無い定常状態では、凹レンズ２５と凸レンズ２６とは入射平行光に対してビーム径を拡大させ平行光を出射させるように構成されているが、凹レンズを定常状態よりレーザ光の光軸方向に移動することにより、凹レンズ２５と凸レンズ２６とのレンズ間隔を変化させ対物レンズ７に入射する光に対し発散光或は集束光に変換し、球面収差を補正することができるようになっている。
【００２３】
球面収差補正部２ａを透過したレーザ光は、焦点移動機構１１によりレーザ光の光軸方向に位置制御された対物レンズ７を透過することにより集光され、光ディスク４のカバー層５を透過し記録層６に焦点を結ぶ。
焦点移動機構１１としては、例えばボイスコイルを用い、ボイスコイルに電流を流すことにより対物レンズ７をレーザ光の光軸方向に移動し焦点を合わせる。
記録層６では、記録信号ＳＧ８に応じたマークが形成されると共に、入射した光の一部が反射され入射した際の光路を戻りビームスプリッタ２２で９０度折り曲げられ集光レンズ２３を透過し、光検出器２４に集光される。光検出器２４では、入射したレーザ光の光強度に応じた検出信号ＳＧ１，ＳＧ５を出力する。
【００２４】
光検出器２４から出力された検出信号ＳＧ１，ＳＧ５は、焦点ずれ信号検出回路８と再生信号検出回路１２とに出力される。更に、検出信号ＳＧ１，ＳＧ５は図示しないトラッキングずれ信号検出部にも出力されるが、本発明には関係しない回路のため説明を省略する。
【００２５】
焦点ずれ信号検出回路８では検出信号ＳＧ１から焦点ずれ信号ＳＧ２が生成され、焦点サーボ回路９に出力される。焦点サーボ回路９では、焦点ずれ信号ＳＧ２に基づき焦点サーボ信号ＳＧ３を出力する。焦点サーボ回路９から出力された焦点サーボ信号ＳＧ３により焦点移動機構駆動回路１０では、焦点移動機構駆動信号ＳＧ４が生成される。焦点移動機構駆動回路１０から出力された焦点移動機構駆動信号ＳＧ４に基づき焦点移動機構１１では、対物レンズ７を透過するレーザ光の焦点を光ディスク４の記録面に一致させるように、対物レンズ７をレーザ光の光軸方向に駆動する。
焦点ずれ信号ＳＧ２の検出方法としては、非点収差法やナイフエッジ法などの公知の検出法を用いることができる。
【００２６】
一方、再生信号検出回路１２では、検出信号ＳＧ５に基づき再生信号ＳＧ６が生成され外部に出力されると共に、再生信号ＳＧ６は再生信号評価回路１３及びディフェクト検出回路１４に出力される。
再生信号評価回路１３では、再生信号検出回路１２から出力された再生信号ＳＧ６の品質を評価し、その評価結果を制御部１９に出力する。
ディフェクト検出回路１４では、再生信号検出回路１２から出力された再生信号ＳＧ６から記録層上のディフェクトを検出し、検出したディフェクト信号ＳＧ７を制御部１９に出力する。
【００２７】
制御部１９は、記億部１９ｍに記憶された内蔵プログラムにより、焦点バランス量を制御する第1の制御信号ＳＧ１３ａを焦点バランス調整回路１７に出力すると共に、球面収差量を制御する第２の制御信号ＳＧ１３ｂを球面収差駆動回路１８に出力する。
更に、制御回路は、記録時に記録回路１５に対して記録を制御する第３の制御信号ＳＧ１３ｃを出力すると共に、再生時にレーザ駆動回路１６に対して再生を制御する第４の制御信号ＳＧ１３ｄを出力する。
【００２８】
焦点バランス調整回路１７は、制御回路１９から出力された第１の制御信号ＳＧ１３ａに基づき焦点バランス調整信号ＳＧ１１を焦点ずれ信号検出回路８に出力し、対物レンズ７を制御する。
球面収差駆動回路１８は、制御回路から出力された第２の制御信号ＳＧ１３ｂに基づき球面収差駆動信号ＳＧ１２を球面収差補正部２に出力し、球面収差補正部２を制御する。
【００２９】
次に、光ディスク４に対して本記録の記録条件を設定し本記録を行う際の動作について説明する。
ここで光ディスク４としては、ライトワンスタイプのＢＤ−Ｒ（Blu-ray Disc Recordable）や書換え可能タイプのＢＤ−ＲＥ（Blu-ray  Disc  Rewritable）を用いることができる。
【００３０】
図３に示すように、光ディスク４に対して本記録に先立つテスト記録を行う前に、光ディスク４の内周部に位置する記録層６のテスト記録領域に対してＤＣイレースを行い、記録層６のテスト記録領域を均一化し、場所によりテスト記録の評価結果が異なることを防ぐ（ステップＳ１）。
ここでＤＣイレースとは、テスト記録する信号トラックの記録済み部分のマークを消去する動作である。ＤＣイレースを行う理由としては、書き換え型光ディスク（ＢＤ−ＲＥ）の場合、本記録において記録済み部分をＤＣイレースなしに直接上書き記録しても特に問題とならないが、焦点バランス量や球面収差補正量や記録パワーを変えて記録するテスト記録の場合は、テスト記録部分に記録済みマークがあるとクロストークなどの影響を受けて正しい焦点バランス量や球面収差補正量が得られない可能性があり、これを防ぐためである。
但し、書き換え型光ディスク（ＢＤ−ＲＥ）であってもテスト記録領域が未記録である場合は、ＤＣイレースを行わなくても良い。
また、追記型ディスク（ＢＤ−Ｒ）であれば情報を書き換えることができないため、ＤＣイレースのステップは行う必要はない。
【００３１】
ＤＣイレースが終わるとテスト記録領域に焦点バランス量と球面収差補正量とを変化させテスト記録を行う（ステップＳ２）。
テスト記録が終了した後に、テスト記録領域を再生してテスト記録結果を評価する（ステップＳ３）。
テスト結果の評価結果から算出された焦点バランス量と球面収差補正量とが後述の方法でそれぞれ最適記録条件であると判断を行う（ステップＳ４）。
ステップＳ４で最適記録条件でないと判断されると、再度ステップＳ２に戻りテスト記録を行う。
ステップＳ４で最適記録条件と判断されると、その焦点バランス量と球面収差補正量とを用いて本記録を行う（ステップＳ５）。
【００３２】
＜実施例１：ＤＣイレース時にディフェクトを検出した場合の動作＞
次に、ＤＣイレース中にディフェクトを検出した場合の動作について図４及び図５を用いて詳細に説明する
制御部１９では、記憶部１９ｍから基準となる焦点バランス量と基準となる球面収差補正量を読み出し、それぞれ焦点バランス調整回路１７及び球面収差駆動回路１８に出力する。
更に、制御部１９から記録回路１５にＤＣイレース用のレーザ光の条件の第３の制御信号ＳＧ１３ｃが出力され、光ディスク４のテスト記録領域に対してＤＣイレース用のレーザパワーで制御されたレーザ光を照射してＤＣイレースを開始する（ステップＳ１１)。
光検出器２４では、記録層６からの反射レーザ光の光強度が検出され、検出された光強度に基づき検出信号ＳＧ５が出力される。光検出器２４から出力された検出信号ＳＧ５に基づき、再生信号検出回路１２で再生信号ＳＧ６が生成される。ＤＣイレース中の再生信号ＳＧ６は、ディフェクト検出回路１４でディフェクトの有無が評価される（ステップＳ１２）。
記録時は、再生時に比較してレーザ光の光強度が大きいため、記録中もディフェクトの検出ができるよう光検出器２４の検出感度を下げて検出可能範囲を広くするよう設定する。
ディフェクト検出回路１４でディフェクトを検出した場合、ディフェクト検出回路１４はディフェクト検出信号ＳＧ７を出力し、ディフェクトを検出した領域のアドレスに対応するアドレス値を記憶部１９ｍに記憶する（ステップＳ１３）。
【００３３】
ＤＣイレースが終了すると、あらかじめ記憶部１９ｍに記憶されているテスト記録のための球面収差補正量の初期値を読み出し、球面収差駆動回路１８に球面収差補正量の初期値に応じた第２の制御信号ＳＧ１３ｂとして出力する。球面収差補正量の初期値は、例えば球面収差が無い状態の凹レンズ２５と凸レンズ２６との位置関係に対し、凹レンズ２５を凸レンズ２６に近づけた状態とし、そこから凹レンズ２５を徐々に離してテスト記録を行うようにする（ステップＳ１４）。
更に、記憶部１９ｍに記憶されているテスト記録のための焦点バランス量の初期値を読み出し、焦点バランス調整回路１７に焦点バランス量の初期値に応じた第１の制御信号ＳＧ１３ａとして出力する。焦点バランス量の初期値は、例えば非点収差が無い状態の焦点バランス量に対し、対物レンズ７を光ディスク４に近づけた状態とし、そこから対物レンズ７を徐々に離してテスト記録を行うようにする（ステップＳ１５）。
【００３４】
球面収差駆動回路１８及び焦点バランス調整回路１７にそれぞれ球面収差補正量の初期値及び焦点バランス量の初期値が設定された後、テスト記録を開始する（ステップＳ１６）。
記憶部１９ｍには、焦点バランス量の初期値及び球面収差補正量の初期値以外に焦点バランス量の最終値及び球面収差補正量の最終値があらかじめ記憶されている。焦点バランス量の最終値及び球面収差補正量の最終値は、焦点バランス量及び球面収差補正量をそれぞれ初期値から変化させて行き、再生信号評価回路１３で再生信号ＳＧ６を評価する際にその品質レベルが著しく悪くなる値であり、例えばジッタ値が検出限界を超えてしまうような値として設定されている。
【００３５】
テスト記録の手順としては、例えば球面収差補正量を初期値とした場合に、焦点バランス量を初期値から最終値まで１ステップずつ焦点バランス量を変化させて記録を行い、焦点バランス量の最終値の記録が終了すると球面収差補正量をαμｍ移動し、球面収差補正量がその条件で再び焦点バランス量を初期値から最終値まで１ステップずつ焦点バランス量を変化させて記録を行う（ステップＳ１８〜ステップＳ２１）。順次、球面収差補正量を移動して焦点バランス量を変化させ記録を行い、球面収差補正量が最終値になるまで、球面収差補正量を変更して記録を行う。
【００３６】
テスト記録中に、ＤＣイレースにてディフェクトを検出したアドレスになった場合、そのアドレスにも記録を行い、ＤＣイレースにてディフェクトを検出したアドレスの次のアドレスにもＤＣイレースにてディフェクトを検出したアドレスと同じ記録条件で記録を行う（ステップＳ１７）。
なお、テスト記録時にＤＣイレースにてディフェクトを検出したアドレスに対してダミー条件（焦点バランス量及び球面収差補正量が初期値と最終値の間の任意の条件）で記録し、その次のアドレスに対して本来ＤＣイレースにてディフェクトを検出したアドレスに記録するはずであった焦点バランス量及び球面収差補正量で記録を行っても良い。
ＤＣイレース時にディフェクトを検出したアドレスにもテスト記録を行う理由は、ＤＣイレースされたままであると隣接トラックへのクロスイレース及びクロストークがなくなり他のトラックと再生時の条件が異なることが発生する可能性があるためである。
【００３７】
テスト記録が終了すると、制御部１９からレーザ駆動回路１６に再生のための第４の制御信号ＳＧ１３ｄを出力し、光ディスク４のテスト記録された領域に対し再生用のレーザパワーに制御されたレーザ光を照射し、反射光を光検出器２４で検出し、検出された検出信号ＳＧ５に基づき再生信号検出回路１２で再生信号ＳＧ６を生成する。再生信号ＳＧ６は、再生信号検出回路１３で品質評価される。
品質評価の方法としては、ここでは再生信号ＳＧ６のジッタ値を測定する方法を用いる。
【００３８】
次に、テスト記録領域のジッタ値のデータから各球面収差補正量におけるジッタ値の焦点バランス量依存性を求める（ステップＳ２３）。
各球面収差補正量におけるジッタ値が最小となる焦点バランス量を求め、求められた焦点バランス量の内で、ジッタ値が最小となる球面収差補正量を求める。ここで得られた球面収差補正量及びその球面収差補正量でのジッタ値が最小になる焦点バランス量を最適球面収差補正量及び最適焦点バランス量とする（ステップＳ２４）。
【００３９】
このようにして測定された焦点バランス量及び球面収差補正量のジッタ値との関係を図５に示す。
図５には、Ａ，Ｂ及びＣの３つの球面収差補正量における焦点バランス量とジッタ値の測定結果を示しており、各球面収差量におけるジッタ値の最小値が各球面収差量における最小焦点バランス量を示している。
更に、各球面収差量における最小焦点バランス量のジッタ値を比較して、最もジッタ値の低い球面収差量を最適球面収差量とし、その際の焦点バランス量を最適焦点バランス量とする。図５においては、最適球面収差量はＢであり、最適焦点バランス量は＋１となる。
次に、制御部１９から第１制御信号ＳＧ１３ａ及び第２の制御信号ＳＧ１３ｂによって、上記最適焦点バランス量及び最適球面収差量をそれぞれ焦点バランス調整回路１７と球面収差駆動回路１８で設定し、設定された焦点バランス量及び球面収差量で本記録を行う。
【００４０】
＜実施例２：テスト記録時にディフェクトを検出した場合の動作＞
次に、テスト記録中にディフェクトを検出した場合の動作について図６及び図７を用いて詳細に説明する
制御部１９では、記憶部１９ｍから基準となる焦点バランス量と基準となる球面収差補正量を読み出し、それぞれ焦点バランス調整回路１７及び球面収差駆動回路１８に出力する。
更に、制御部１９から記録回路１５にＤＣイレース用のレーザ光の条件の第３の制御信号ＳＧ１３ｃが出力され、光ディスク４のテスト記録領域に対し、ＤＣイレース用のレーザパワーで制御されたレーザ光を照射してＤＣイレースを行う（ステップＳ３１)。
【００４１】
ＤＣイレースが終了すると、球面収差補正量の初期値の設定と焦点バランス量の初期値の設定とを行う。球面収差補正量の初期値の設定と焦点バランス量の初期値の設定とは、実施例１と同様の方法（ステップＳ３２，Ｓ３３）で行うため、ここでは説明は省略する。
球面収差駆動回路１８及び焦点バランス調整回路１７にそれぞれ球面収差補正量の初期値及び焦点バランス量の初期値が設定されると、テスト記録を開始する（ステップＳ３４）。
テスト記録の手順（ステップＳ３７〜Ｓ４０）は実施例１と同様のため説明は省略する。
【００４２】
光検出器２４では、記録層６からの反射レーザ光の光強度が検出され、検出された光強度に基づき検出信号ＳＧ５が出力される。光検出器２４から出力された検出信号ＳＧ５に基づき、再生信号検出回路１２で再生信号ＳＧ６が生成される。テスト記録中の再生信号ＳＧ６は、ディフェクト検出回路１４で再生信号ＳＧ６中のディフェクトの有無が評価される（ステップＳ３５）。
記録時は、再生時に比較してレーザ光の光強度が大きいため、記録中もディフェクトの検出ができるよう光検出器２４の検出感度を下げて検出可能範囲を広くするよう設定する。
ディフェクト検出回路１４でディフェクトを検出した場合、ディフェクト検出回路１４はディフェクト検出信号ＳＧ７を出力し、ディフェクトを検出した領域のアドレスに対応したアドレス値を制御部１９に記録する（ステップＳ３６）。
【００４３】
テスト記録が終了すると、再生信号ＳＧ６の品質評価を行う。品質評価の方法としては、実施例１と同様のジッタ値測定を行う方法を用いる。
得られたジッタ値のデータから図７に示すジッタカーブを生成する(ステップＳ４１)。
【００４４】
生成されたジッタカーブから最小焦点バランス量を求め、ディフェクトの影響により得られた最小焦点バランス量と本来の最小焦点バランス量との間に差が生じたかどうかを判定する（ステップＳ４２）。
得られた最小焦点バランス量と本来の最小焦点バランス量との比較は、次の方法によって行う。
簡略化して説明するために、図７（Ａ），（Ｂ）では、ある１点の球面収差補正量における焦点バランス量とジッタ値との関係を示す。また、ディフェクトは、図７（Ａ），（Ｂ）いずれにおいても焦点バランス量が＋１のところで検出された場合である。
焦点バランス量は−６から＋６まで変化させて測定を行ったが、焦点バランス量が−６から−４までの領域では、ジッタ値が大きく測定不能であった。
【００４５】
図７（Ａ），（Ｂ）において、Ｘ，Ｙ及びＺの各線は以下のように定義される。
ディフェクトを検出した焦点バランス量（＋１）のデータを含めて全てのデータを結んだ線をＸとする。
ディフェクトを検出した焦点バランス量（＋１）のデータを除いたデータを結んだ線をＹとする（削除方法）。
ディフェクトを検出した焦点バランス量（＋１）のデータを除き、除いたデータの前後のそれぞれ複数のデータから焦点バランス量（＋１）のデータを補間して、それらのデータを結んだ線をＺとする（補間方法）。
Ｚにおけるデータ補間の方法としては、例えばディフェクトを検出した焦点バランス量のデータを除外した残りの複数のデータから最小二乗法の多項式近似などにより行う。
なお、Ｚにおける前後のそれぞれ複数のデータとしては、ディフェクトの影響が複数のアドレスに及ぶ場合は、それを除くものとする。
【００４６】
図７（Ａ）の場合、Ｘ，Ｙ，Ｚ共に最小焦点バランス量は＋２となる。
図７（Ａ）のようにＸ，Ｙ，Ｚで最小焦点バランス量が同一ステップの場合、測定から得られた最小焦点バランス量とディフェクトが無い場合の最小焦点バランス量とが同一と判定し、その焦点バランス量を最小焦点バランス量とする。
更に、各球面収差補正量における最小焦点バランス量から、最適焦点バランス量と、最適球面収差補正量とを求める。最適焦点バランス量及び最適球面収差補正量の求めからは、実施例１と同様であるため説明は省略する。
【００４７】
一方、図７（Ｂ）の場合、Ｘ及びＹの最小焦点バランス量は＋２となるが、Ｚの最小焦点バランス量は１ステップずれて＋１となる。
図７（Ｂ）のようにＸ，Ｙ，Ｚの最小焦点バランス量が一致しない場合、測定から得られた最小焦点バランス量とディフェクトが無い場合の最小焦点バランス量とが異なるものと判定し、テスト記録領域内の別の領域にディフェクトを検出したアドレスでの記録条件で再度テスト記録を行う（ステップＳ４４）。
再度テスト記録を行う際、クロスイレース及びクロストークによる影響を他のテスト記録と同一条件にするため、その記録を行うアドレスの前後のトラックにも何らかのデータを記録することが望ましい。
【００４８】
再度テスト記録を行った後に、前述の方法でジッタ値を測定し、ジッタカーブを生成し、最小焦点バランス量を求め、最適焦点バランス量及び最適球面収差補正量を求める（ステップＳ４１〜ステップＳ４３）。
次に、制御部１９から第１制御信号ＳＧ１３ａ及び第２の制御信号ＳＧ１３ｂによって、上記最適焦点バランス量及び最適球面収差量をそれぞれ焦点バランス調整回路１７と球面収差駆動回路１８で設定し、設定された焦点バランス量及び球面収差量で本記録を行う。
【００４９】
＜実施例３：テスト記録後の再生時にディフェクトを検出した場合の動作＞
次に、テスト記録後の再生中にディフェクトを検出した場合の動作について図８を用いて詳細に説明する
実施例１及び実施例２と同様に記録領域にＤＣイレース用のレーザパワーで制御されたレーザ光を照射してＤＣイレースを行う（ステップＳ５１)。
ＤＣイレースが終了すると、球面収差補正量の初期値の設定（ステップＳ５２）と焦点バランス量の初期値の設定（ステップＳ５３）とを行う。球面収差補正量の初期値の設定と焦点バランス量の初期値の設定とは、実施例１と同様の方法で行うため、説明は省略する。
【００５０】
球面収差駆動回路１８及び焦点バランス調整回路１７にそれぞれ球面収差補正量の初期値及び焦点バランス量の初期値が設定されると、テスト記録を開始する（ステップＳ５４）。
テスト記録の手順は実施例１及び実施例２と同様のため説明は省略する（ステップＳ５５〜Ｓ５８）。
【００５１】
テスト記録が終了すると、再生信号ＳＧ６の品質評価を行う。品質評価の方法としては、実施例１及び実施例２と同様のジッタ値測定を行う方法を用いる(ステップＳ５９)。
更に、再生信号ＳＧ６は、ディフェクト検出回路１４で再生信号ＳＧ６中のディフェクトの有無が評価される（ステップＳ６０）。
【００５２】
再生信号ＳＧ６中にディフェクトが検出されない場合は、得られたジッタ値からジッタカーブを生成し（ステップＳ６１）、そこから実施例１及び実施例２と同様の方法で、最適焦点バランス量及び最適球面収差補正量を求める（ステップＳ６２）。
【００５３】
一方、再生信号ＳＧ６中にディフェクトを検出した場合は、ディフェクトを検出したアドレスの部分のジッタ値のデータは、測定結果として用いないようにして、ジッタカーブを生成する（ステップＳ６３）。
生成されたジッタカーブから最小焦点バランス量を求め、ディフェクトの影響により得られた最小焦点バランス量と本来の最小焦点バランス量との間に差が生じたかどうかを判定する（ステップＳ６４）。
得られた最小焦点バランス量と本来の最小焦点バランス量との比較は、実施例２に記載の方法で行う。
【００５４】
測定により得られた最小焦点バランス量と本来の最小焦点バランス量とが同一ステップの場合、測定から得られた最小焦点バランス量とディフェクトが無い場合の最小焦点バランス量とが同一と判定し、その焦点バランス量を最小焦点バランス量とする。
一方、上述した削除方法で求めた最小焦点バランス量と上述した補間方法で求めた最小焦点バランス量とのステップ数が異なる場合、測定から得られた最小焦点バランス量とディフェクトが無い場合の最小焦点バランス量とが異なるものと判定し、テスト記録領域内の別の領域にディフェクトを検出したアドレスでの記録条件で再度テスト記録を行う（ステップＳ６５）。
再度テスト記録を行う際、クロスイレース及びクロストークの影響を他のテスト記録と同一条件にするため、その記録を行うアドレスの前後のトラックにも何らかのデータを記録することが望ましい。
【００５５】
再度テスト記録を行った後に、前述の方法でジッタ値を測定し、ジッタカーブを生成し、最小焦点バランス量を求め、最適焦点バランス量及び最適球面収差補正量を求める（ステップＳ５９〜ステップＳ６２）。
次に、制御部１９から上記最適焦点バランス量及び最適球面収差量を設定するための第１制御信号ＳＧ１３ａ及び第２の制御信号ＳＧ１３ｂを焦点バランス調整回路１７と球面収差駆動回路１８とに出力し、最適焦点バランス量及び最適球面収差量で本記録を行う。
【００５６】
以上、説明したように、本記録に先立つＤＣイレース、テスト記録及びテスト記録の評価の際に、光ディスクのディフェクトを検出した場合でも、このディフェクトの影響によってレーザ光の焦点バランス量と球面収差補正とが誤設定されることなく、本記録時に安定して情報信号を記録することができる光ディスク装置及び光ディスク記録条件設定方法を提供することができる。
【００５７】
以上の説明において、焦点バランス量を変更して焦点サーボの目標点を変更したが、焦点オフセットを変更して焦点サーボの目標点を変更しても良い。
また、球面収差補正量を固定して焦点バランス量を変更してテスト記録を行ったが、逆に焦点バランス量を固定して球面収差補正量を変更してテスト記録を行っても良い。
また、テスト記録に用いる領域の大きさを少なくすることやテスト記録にかかる時間を短くすることを考慮した場合、球面収差補正量だけ、又は、焦点バランス量だけを変更してテスト記録を行うことも可能である。
また、再生信号ＳＧ６の品質は、再生信号ＳＧ６のジッタ値により評価していたが、ジッタ値の他に再生信号ＳＧ６の振幅の最大点、又は、エラーレートの最小点を調べることにより評価することもできる。
【図面の簡単な説明】
【００５８】
【図１】本発明の一実施形態に係る光ディスク装置の全体構成を示すブロック図である。
【図２】本発明の一実施形態に係る光ディスク装置の光学系を示すブロック図である。
【図３】本発明の一実施形態に係る光ディスク記録条件設定方法を示すフローチャートである。
【図４】本発明の一実施例に係る光ディスク装置がＤＣイレース時にディフェクトを検出した場合の動作を示すフローチャートである。
【図５】本発明の一実施例に係る光ディスク装置における球面収差補正量を変化させた場合の再生信号ジッタ値の焦点バランス量依存性を示す図である。
【図６】本発明の一実施例に係る光ディスク装置がテスト記録時にディフェクトを検出した場合の動作を示すフローチャートである。
【図７】本発明の一実施例に係る光ディスク装置におけるディフェクトを検出した場合のジッタカーブを示す図である。
【図８】本発明の一実施例に係る光ディスク装置がテスト記録後の再生時にディフェクトを検出した場合の動作を示すフローチャートである。
【符号の説明】
【００５９】
１…光ディスク装置、２…球面収差補正機構、３…光学系、４…光ディスク、５…カバー層、６…記録層、７…対物レンズ、８…焦点ずれ信号検出回路、９…焦点サーボ回路、１０…焦点移動機構駆動回路、１１…焦点移動機構、１２…再生信号検出回路、１３…再生信号評価回路、１４…ディフェクト検出回路、１５…記録回路、１６…レーザ駆動回路、１７…焦点バランス調整回路、１８…球面収差駆動回路、１９…制御回路、２０…半導体レーザ、２１…コリメートレンズ、２２…ビームスプリッタ、２３…集光レンズ、２４…光検出器、２５…凹レンズ、２６…凸レンズ、２７…球面収差補正光学系用駆動機構、２８…液晶素子
【図１】
2009009686.tif 000003
【図２】
2009009686.tif 000004
【図３】
2009009686.tif 000005
【図４】
2009009686.tif 000006
【図５】
2009009686.tif 000007
【図６】
2009009686.tif 000008
【図７】
2009009686.tif 000009
【図８】
2009009686.tif 000010